(57)【特許請求の範囲】
【請求項１】
楽器本体と、
前記楽器本体の前部に配設され、複数の鍵からなる鍵盤部と、
第１状態と第２状態との間を遷移可能に構成され、前記第１状態にあるとき、前記鍵盤部を覆い且つ前記楽器本体の内部を奏者側に対して遮蔽する一方、前記第２状態にあるとき、前記鍵盤部を開放して演奏を可能とし且つ前記楽器本体の内部を奏者側に対して開放し得る蓋ユニットと、
前記鍵盤部及び前記蓋ユニットのいずれに対しても独立に構成され、前記楽器本体の内部における、前記蓋ユニットが前記第１状態にあるときに遮蔽される位置に、横倒状態と起立状態とに姿勢を可変なように配設されたパネル部と、
前記パネル部を前記起立状態で保持可能なパネル保持手段と、
後側蓋保持部と、
前記楽器本体に設けられ前記後側蓋保持部の前後方向への移動を案内するガイド部と、
前記楽器本体に設けられ、前記後側蓋保持部が後方に移動するのに連動して可動し、前記パネル部を駆動して、前記パネル部の姿勢を前記横倒状態から前記起立状態へ変化させるリンク部材とを有し、
前記蓋ユニットが前記第２状態にあるときに前記パネル部が起立状態となると前記パネル部が奏者側に対して開放され、
前記蓋ユニットは、前側蓋と後側蓋とが展開／折り畳み自在に連結されてなり、前記前側蓋及び前記後側蓋が展開された状態で前記第１状態と成り得ると共に、前記前側蓋及び前記後側蓋が折り畳まれた状態で前記第２状態と成り得、
前記蓋ユニットの前記後側蓋は、前記後側蓋保持部に対して回動して前記後側蓋保持部の上に載置された状態となることが可能であり、前記蓋ユニットは、前記前側蓋及び前記後側蓋が折り畳まれ且つ前記後側蓋が前記後側蓋保持部の上に載置された状態で、前記後側蓋保持部と一緒に前記ガイド部に案内されて後方に移動することで前記第２状態に遷移し、それに伴って、前記後側蓋保持部が前記リンク部材の後部上部を押し該リンク部材の前部が前記パネル部を裏面側から押し上げることによって、前記パネル部の姿勢が前記横倒状態から前記起立状態へ変化するように構成されたことを特徴とする電子鍵盤楽器。
【請求項２】
前記パネル保持手段は、前記蓋ユニットの一部をなす当接部と前記リンク部材とで構成され、前記当接部と前記リンク部材とが、起立状態となった前記パネル部に当接することで、両者が協働して前記パネルの横倒を阻止するように構成されていることを特徴とする請求項１記載の電子鍵盤楽器。
【請求項３】
前記蓋ユニットが前記第１状態と前記第２状態との間を遷移するときに通る空間と、前記パネル部が前記横倒状態と前記起立状態とに姿勢を変化させるときに通る空間とは互いに干渉しており、且つ、前記蓋ユニットが前記第１状態から前記第２状態に遷移する行程において、前記パネル部が前記横倒状態と前記起立状態とに姿勢を変化させるときに通る空間に対して干渉しない位置まで前記蓋ユニットが遷移してから前記パネル部が前記起立状態になるように構成されていることを特徴とする請求項１または２記載の電子鍵盤楽器。
【請求項４】
楽器本体と、
前記楽器本体の前部に配設され、複数の鍵からなる鍵盤部と、
第１状態と第２状態との間を遷移可能に構成され、前記第１状態にあるとき、前記鍵盤部を覆い且つ前記楽器本体の内部を奏者側に対して遮蔽する一方、前記第２状態にあるとき、前記鍵盤部を開放して演奏を可能とし且つ前記楽器本体の内部を奏者側に対して開放し得る蓋ユニットと、
前記鍵盤部及び前記蓋ユニットのいずれに対しても独立に構成され、前記楽器本体の内部における、前記蓋ユニットが前記第１状態にあるときに遮蔽される位置に、横倒状態と起立状態とに姿勢を可変なように配設されたパネル部と、
前記パネル部を前記起立状態で保持可能なパネル保持手段と、
後側蓋保持部と、
前記楽器本体に設けられ前記後側蓋保持部の前後方向への移動を案内するガイド部と、
前記楽器本体に設けられ、前記後側蓋保持部が後方に移動するのに連動して可動し、前記パネル部を駆動して、前記パネル部の姿勢を前記横倒状態から前記起立状態へ変化させるリンク部材とを有し、
前記蓋ユニットが前記第２状態にあるときに前記パネル部が起立状態となると前記パネル部が奏者側に対して開放され、
前記蓋ユニットは、前側蓋と後側蓋とが展開／折り畳み自在に連結されてなり、前記前側蓋及び前記後側蓋が展開された状態で前記第１状態と成り得ると共に、前記前側蓋及び前記後側蓋が折り畳まれた状態で前記第２状態と成り得、
前記蓋ユニットの前記後側蓋は、前記後側蓋保持部に対して回動して前記後側蓋保持部の上に載置された状態となることが可能であり、前記蓋ユニットは、前記前側蓋及び前記後側蓋が折り畳まれ且つ前記後側蓋が前記後側蓋保持部の上に載置された状態で、前記後側蓋保持部と一緒に前記ガイド部に案内されて後方に移動することで前記第２状態に遷移するように構成され、
前記パネル保持手段は、前記蓋ユニットの一部をなす当接部と前記リンク部材とで構成され、前記当接部と前記リンク部材とが、起立状態となった前記パネル部に当接することで、両者が協働して前記パネルの横倒を阻止するように構成されていることを特徴とする電子鍵盤楽器。
【発明の詳細な説明】
【技術分野】
【０００１】
本発明は、少なくとも鍵盤部を覆う蓋ユニットと操作子等が設けられたパネル部とを備えた電子鍵盤楽器に関する。
【背景技術】
【０００２】
従来、電子鍵盤楽器は一般に、操作子や音響発生部等が配設されたパネル部を備え、さらに、鍵盤部等を覆うための鍵盤蓋等の蓋ユニットを備えたものも知られている。
【０００３】
例えば、下記特許文献１の電子鍵盤楽器では、鍵盤部を覆う蓋ユニットが、前カバーと後カバーとで折り畳み可能に構成される。さらに、前カバーの裏側に操作子やスピーカが配され、開蓋状態では前カバーの裏面が制御パネルとして機能するように構成されている。
【０００４】
また、下記特許文献２の電子鍵盤楽器では、パネル部が鍵盤部後部上方において水平に近い姿勢で配設され、閉蓋状態で鍵盤部からパネル部にかけて覆う蓋ユニットが、前後方向にスライド可能に設けられる。さらに、蓋ユニットは、パネル部が現れる位置まで後方にスライドさせることで開蓋状態になるように構成されている。
【特許文献１】特開２００４−３０２４１９号公報
【特許文献２】実公平７−４９５１１号公報
【発明の開示】
【発明が解決しようとする課題】
【０００５】
しかしながら、電子鍵盤楽器においては、近年、機能の増加に伴う操作子の増加、表示部の視認性や機能性向上に伴う表示部サイズの拡大、及び音質向上に伴うスピーカの大型化等によって、備えるべきパネル部は、その厚みが厚くなると共に、その奥行き（乃至上下方向の寸法）も大きくなる傾向にある。
【０００６】
そのため、上記特許文献１のように、蓋ユニットの裏側にパネル部が設けられるものにおいては、蓋ユニットの厚みが増し、特にスピーカが配設されると厚みが一層増すことになる。そのため、閉蓋された非演奏時であって、パネル部が見えない状態であっても、蓋ユニットが厚いことから、仮に、外観を生ピアノに似せようとしても、生ピアノのようには見えず、いかにも電子楽器という外観となってしまう。
【０００７】
また、上記特許文献２では、蓋ユニットは、閉蓋時にはパネル部まで覆うと共に、開蓋時にはパネル部が現れる位置までスライドできるように構成されるため、蓋ユニットの奥行き寸法が長いものとなる。上記特許文献１においても、蓋ユニットの奥行き寸法は、パネル部の奥行き寸法に応じて長くなる傾向にある。
【０００８】
従って、上記特許文献１、２のいずれにおいても、蓋ユニットの奥行き寸法が長いことから、口棒部相当の楽器前端部から前板部相当の位置までの前後方向の長さが長くなってしまう。そのため、非演奏時であってパネル部が見えない状態であっても、外観的には、生ピアノとはかなり異なったものとなってしまう。
【０００９】
ところで、上記特許文献２において、パネル部は、水平に近い姿勢であるので、操作性がよくない。その一方、奏者側を向くようにパネル部を斜めに起立させて操作性を高めようとすると、蓋ユニットがスライド移動時にパネル部に干渉しないように高い位置に配設されることになることから、楽器本体の高さが高くなってしまう。そのため、楽器本体のスペースにも無駄が生じる。
【００１０】
本発明は上記従来技術の問題を解決するためになされたものであり、その目的は、鍵盤蓋の厚み及び奥行き寸法、並びに楽器本体の高さをそれぞれ抑え、且つ、非演奏時においてはパネル部が外観に現れないようにすると共に演奏時におけるパネル部の視認性を高めることができる電子鍵盤楽器を提供することにある。
【課題を解決するための手段】
【００１５】
上記目的を達成するために本発明の請求項１の電子鍵盤楽器は、楽器本体と、前記楽器本体の前部に配設され、複数の鍵からなる鍵盤部と、第１状態と第２状態との間を遷移可能に構成され、前記第１状態にあるとき、前記鍵盤部を覆い且つ前記楽器本体の内部を奏者側に対して遮蔽する一方、前記第２状態にあるとき、前記鍵盤部を開放して演奏を可能とし且つ前記楽器本体の内部を奏者側に対して開放し得る蓋ユニットと、前記鍵盤部及び前記蓋ユニットのいずれに対しても独立に構成され、前記楽器本体の内部における、前記蓋ユニットが前記第１状態にあるときに遮蔽される位置に、横倒状態と起立状態とに姿勢を可変なように配設されたパネル部と、前記パネル部を前記起立状態で保持可能なパネル保持手段と、後側蓋保持部と、前記楽器本体に設けられ前記後側蓋保持部の前後方向への移動を案内するガイド部と、前記楽器本体に設けられ、前記後側蓋保持部が後方に移動するのに連動して可動し、前記パネル部を駆動して、前記パネル部の姿勢を前記横倒状態から前記起立状態へ変化させるリンク部材とを有し、前記蓋ユニットが前記第２状態にあるときに前記パネル部が起立状態となると前記パネル部が奏者側に対して開放され、前記蓋ユニットは、前側蓋と後側蓋とが展開／折り畳み自在に連結されてなり、前記前側蓋及び前記後側蓋が展開された状態で前記第１状態と成り得ると共に、前記前側蓋及び前記後側蓋が折り畳まれた状態で前記第２状態と成り得、前記蓋ユニットの前記後側蓋は、前記後側蓋保持部に対して回動して前記後側蓋保持部の上に載置された状態となることが可能であり、前記蓋ユニットは、前記前側蓋及び前記後側蓋が折り畳まれ且つ前記後側蓋が前記後側蓋保持部の上に載置された状態で、前記後側蓋保持部と一緒に前記ガイド部に案内されて後方に移動することで前記第２状態に遷移し、それに伴って、前記後側蓋保持部が前記リンク部材の後部上部を押し該リンク部材の前部が前記パネル部を裏面側から押し上げることによって、前記パネル部の姿勢が前記横倒状態から前記起立状態へ変化するように構成されたことを特徴とする。
上記目的を達成するために本発明の請求項４の電子鍵盤楽器は、楽器本体と、前記楽器本体の前部に配設され、複数の鍵からなる鍵盤部と、第１状態と第２状態との間を遷移可能に構成され、前記第１状態にあるとき、前記鍵盤部を覆い且つ前記楽器本体の内部を奏者側に対して遮蔽する一方、前記第２状態にあるとき、前記鍵盤部を開放して演奏を可能とし且つ前記楽器本体の内部を奏者側に対して開放し得る蓋ユニットと、前記鍵盤部及び前記蓋ユニットのいずれに対しても独立に構成され、前記楽器本体の内部における、前記蓋ユニットが前記第１状態にあるときに遮蔽される位置に、横倒状態と起立状態とに姿勢を可変なように配設されたパネル部と、前記パネル部を前記起立状態で保持可能なパネル保持手段と、後側蓋保持部と、前記楽器本体に設けられ前記後側蓋保持部の前後方向への移動を案内するガイド部と、前記楽器本体に設けられ、前記後側蓋保持部が後方に移動するのに連動して可動し、前記パネル部を駆動して、前記パネル部の姿勢を前記横倒状態から前記起立状態へ変化させるリンク部材とを有し、前記蓋ユニットが前記第２状態にあるときに前記パネル部が起立状態となると前記パネル部が奏者側に対して開放され、前記蓋ユニットは、前側蓋と後側蓋とが展開／折り畳み自在に連結されてなり、前記前側蓋及び前記後側蓋が展開された状態で前記第１状態と成り得ると共に、前記前側蓋及び前記後側蓋が折り畳まれた状態で前記第２状態と成り得、前記蓋ユニットの前記後側蓋は、前記後側蓋保持部に対して回動して前記後側蓋保持部の上に載置された状態となることが可能であり、前記蓋ユニットは、前記前側蓋及び前記後側蓋が折り畳まれ且つ前記後側蓋が前記後側蓋保持部の上に載置された状態で、前記後側蓋保持部と一緒に前記ガイド部に案内されて後方に移動することで前記第２状態に遷移するように構成され、前記パネル保持手段は、前記蓋ユニットの一部をなす当接部と前記リンク部材とで構成され、前記当接部と前記リンク部材とが、起立状態となった前記パネル部に当接することで、両者が協働して前記パネルの横倒を阻止するように構成されていることを特徴とする。
【発明の効果】
【００１８】
本発明の請求項１、４によれば、鍵盤蓋の厚み及び奥行き寸法、並びに楽器本体の高さをそれぞれ抑え、且つ、非演奏時においてはパネル部が外観に現れないようにすると共に演奏時におけるパネル部の視認性を高めることができる。
【００１９】
請求項３によれば、楽器本体内部の空間を有効利用して、楽器本体の省スペースを図ることができる。
【００２３】
請求項２によれば、部品点数の増加を抑制して構成を簡単にすることができる。
【発明を実施するための最良の形態】
【００２４】
以下、本発明の実施の形態を図面を参照して説明する。
【００２５】
（第１の実施の形態）
図１は、本発明の第１の実施の形態に係る電子鍵盤楽器の楽器本体の左側部を内側（右側）からみた断面図である。本電子鍵盤楽器は、楽器本体１００が、不図示の脚部で保持されてなり、非使用時において生ピアノ（例えば、アコースティックグランドピアノ）のような外観に構成される。以降、楽器本体１００の左右方向は、奏者からみた方向を基準とし、前後方向については、楽器本体１００の奏者側を「前方」とする。
【００２６】
楽器本体１００の前部において、棚板１１には、それぞれ複数の白鍵１５、黒鍵１６及び質量体からなる鍵盤部ＫＢが配設される。棚板１１の前端部上部には、鍵盤部ＫＢの全幅に亘って口棒１２が配設されている。楽器本体１００の前部には、蓋ユニットＵＮＴが設けられる。蓋ユニットＵＮＴは、前蓋２１と後蓋２３とが蝶番等の連結部２２で回動自在に連結されてなり、さらに、後蓋２３の左右両端部の後面側にアーム２４が設けられてなる。詳細は後述するが、蓋ユニットＵＮＴは、開閉操作により、演奏を行わない閉蓋状態（第１状態）から、前蓋２１を後蓋２３に対して折り畳み、さらにこれらを跳ね上げて、後方に移動させて楽器本体１００内の後部上方に収容することで、演奏可能な蓋収容状態（第２状態）へと遷移するように構成される。
【００２７】
図１は、蓋ユニットＵＮＴの閉蓋状態を示している。図２〜図５は、蓋ユニットＵＮＴの閉蓋状態から蓋収容状態までの遷移行程の途中の状態を示す楽器本体１００の左側部の内側から見た断面図である。図６は、蓋ユニットＵＮＴの蓋収容状態を示す楽器本体１００の左側部の内側から見た断面図である。また、図７は、蓋ユニットＵＮＴの蓋収容状態を示す楽器本体１００の左側部の斜視図である。
【００２８】
図１〜図７では、楽器本体１００において、左右対称の要素については、左側部に位置する左側の側板１３に対して直接または間接に取り付けられている要素が表されている。以降、楽器本体１００において、左右対称の構成要素については、符号も区別することなく、左側の構成要素を代表して説明する。本実施の形態では、蓋ユニットＵＮＴの構成及び移動機構に特徴があるため、図１〜図７では、楽器本体１００の後部の図示、及び天板等の部材の図示は省略されている。また、図７では、鍵盤部ＫＢの図示も省略されている。
【００２９】
図１に示すように、蓋ユニットＵＮＴの前蓋２１は断面略Ｌ字状を呈し、蓋ユニットＵＮＴの閉蓋状態においては、前蓋２１の前端下部は、口棒１２の上端に当接している。蓋ユニットＵＮＴの後蓋２３は、断面略Ｊ字状を呈し、蓋ユニットＵＮＴの閉蓋状態においては、側板１３の内側に突設された係止ピン２６に当接して、その位置が規制される。蓋ユニットＵＮＴは、鍵盤部ＫＢの全幅よりやや大きい幅を有し、閉蓋状態においては、鍵盤部ＫＢの上方及び楽器本体１００の内部（特に鍵盤部ＫＢの後部上方より後方）を奏者側に対して遮蔽する。一方、蓋ユニットＵＮＴは、蓋収容状態では、鍵盤部ＫＢを開放して演奏を可能とし、且つ楽器本体１００の内部を奏者側に対して開放し得る（図６参照）。
【００３０】
側板１３の内側において、略前後方向に沿って案内機構部６０が設けられ、案内機構部６０によってユニット保持体５０がスライド移動可能にされている。蓋ユニットＵＮＴの後蓋２３は、ユニット保持体５０に回動自在に保持されている。
【００３１】
すなわち、まず、図１、図５に示すように、案内機構部６０は、前部を除いて前後方向に沿って側板１３の内側に形成された逃げ部６１と、逃げ部６１の上下方向略中央において逃げ部６１と平行に一段深く刻まれたガイド溝部６２とを有する。また、逃げ部６１の下側の上面には、ラック部材６３が配設され、ラック部材６３の上側にラックギヤ６３ａが全長に亘って形成されている。案内機構部６０の前端部６０ａ（図３参照）は、前方にいくほど緩やかに下方に傾斜し、すなわち、逃げ部６１、ガイド溝部６２及びラックギヤ６３ａが、互いに平行に、下方に傾斜している。
【００３２】
一方、図１に示すように、ユニット保持体５０は、側面視略三角形で板状の三角リンク部材５１を有する。三角リンク部材５１は、側板１３に近接して配置される。三角リンク部材５１の後部下部であるＲ形状の角部５７には、係合ピン５４が外側（左側）に向かって突設され、係合ピン５４の先端がガイド溝部６２に摺動可能に係合している。
【００３３】
また、図７に示すように、左右の側板１３間に亘って連動棒５２が配設されている。三角リンク部材５１の、図１における前端部は、蓋ユニットＵＮＴのアーム２４の左側面に近接対向し、連動棒５２の左端部が、アーム２４及び三角リンク部材５１の前端部を貫通すると共に、これらアーム２４及び三角リンク部材５１の前端部に対して回動自在に保持されている。さらに、連動棒５２の、アーム２４及び三角リンク部材５１の前端部から左方に突出している左端部に、ラック部材６３のラックギヤ６３ａと噛み合うピニオンギヤ５３が回転一体に取り付けられている。連動棒５２の左端部は、さらに、ピニオンギヤ５３を貫通して、その先端が、係合ピン５４と同様にガイド溝部６２に摺動可能に係合している。右側の側板においてもこれらと同じ機構が左右対称に設けられる。従って、左右のピニオンギヤ５３は連動棒５２と一体に回転するようになっている。
【００３４】
ユニット保持体５０は、１本の連動棒５２と、それぞれ左右対称で一対の三角リンク部材５１、ピニオンギヤ５３及び係合ピン５４とで構成される。ユニット保持体５０は、ピニオンギヤ５３が、対応するラック部材６３のラックギヤ６３ａと噛み合いつつ転がると共に、連動棒５２の両端部と係合ピン５４とが対応するガイド溝部６２内を摺動することで、前後方向にスライド移動自在となっている。逃げ部６１の上側の下面が逃げているので、ピニオンギヤ５３が逃げ部６１に干渉することなく案内機構部６０に対して移動する。連動棒５２の左端部先端が、ガイド溝部６２の前端部６２ａ（図３参照）に当接係合することで、閉蓋状態に対応するユニット保持体５０の移動行程における前進限界位置が規制される。
【００３５】
ここで、ユニット保持体５０が、案内機構部６０にガイドされて前後方向にスライドする際、左右のピニオンギヤ５３と、対応するラックギヤ６３ａとの噛み合いによって、左右の三角リンク部材５１の移動量が常に同じになるようになっている。これにより、ユニット保持体５０が水平方向にローリングしてがたつくようなことがなく、常に安定した姿勢を保って円滑に前後方向にスライド移動する。
【００３６】
蓋ユニットＵＮＴの後蓋２３は、上記構成により、アーム２４、連動棒５２を介して、ユニット保持体５０の三角リンク部材５１に対して上下方向に回動自在となっている。開蓋操作をする際には、前蓋２１を回動させて後蓋２３に対して対向するように折り畳み、その状態で、連動棒５２を中心として、前蓋２１ごと後蓋２３を図１の時計方向に回動させる（跳ね上げる）。ここで、三角リンク部材５１の後部上部には、前板受け部５５が設けられている。前板受け部５５は、開状態となった後蓋２３の後部２３ａと当接して、後蓋２３の時計方向の回動終了位置を規制する（図３参照）。この状態で、手で後蓋２３を後方に押圧することで、ユニット保持体５０と一緒に蓋ユニットＵＮＴが後方に移動していく。
【００３７】
図１に示すように、閉蓋状態における蓋ユニットＵＮＴにおいて、アーム２４は、後蓋２３の、ピアノの前板相当の部分である垂直部分の下部付近に位置し、案内機構部６０の上下方向の位置も、アーム２４に対応している。ただし、上記したように、案内機構部６０の前端部６０ａは、前方にいくほど下方に傾斜している。従って、蓋ユニットＵＮＴの閉蓋状態においては、蓋ユニットＵＮＴの自重により、連動棒５２の端部先端が、ガイド溝部６２の前端部６２ａ（図３参照）に常に当接している。これにより、閉蓋状態における蓋ユニットＵＮＴの姿勢が安定するだけでなく、後蓋２３を開方向に回動させた際に、後方への軽すぎる押圧力では、ユニット保持体５０が後方に動き出さないようになっている。
【００３８】
前蓋２１を後蓋２３に対して折り畳んだ状態では、蓋ユニットＵＮＴは、何ら操作をしない自由状態では、反時計方向に回動しようとする。一方、側板１３の内側上部後部には、桟１４が取り付けられている。桟１４の下面１４ａは、蓋収容状態における蓋ユニットＵＮＴの後蓋２３の後部２３ａと当接して、蓋収容状態における蓋ユニットＵＮＴの反時計方向への回動を規制する。また、側板１３の内側において、ユニット保持体５０の後方であって案内機構部６０の上方には、ストッパ１７が固定されている。ストッパ１７は、ユニット保持体５０が後方へ移動するとき、三角リンク部材５１の後端面５６と当接して、ユニット保持体５０の移動行程における後進限界位置を規制する。
【００３９】
楽器本体１００の内部において、鍵盤部ＫＢより後方には、側面視Ｊ字状で板状のＪ字リンク部材４０が配設される。側板１３の内側には、回動軸部４１が突設され、Ｊ字リンク部材４０は、回動軸部４１を中心に図１の時計／反時計方向に回動自在に保持される。Ｊ字リンク部材４０は、三角リンク部材５１と同様に、側板１３に近接して配置され、その左右方向の位置が三角リンク部材５１と同じである。側板１３の内側において、鍵盤部ＫＢの直ぐ後方には、係止ピン４３が突設されている。Ｊ字リンク部材４０は、係止ピン４３に当接して、その反時計方向への回動限界位置が規制される。
【００４０】
楽器本体１００の内部において、鍵盤部ＫＢの後部上方には、パネル部３０が配設される。パネル部３０は、ほぼ左右の側板１３間に亘る長さを有し、その表面３４には、図示はしないが、各種操作子、スピーカ、表示部等の、電気配線を伴った電子楽器としての機能要素が配設されている。パネル部３０は、側面視における黒鍵１６の直ぐ後方において側板１３に設けられた回動軸３１を中心に、上下方向（図１の時計／反時計方向）に回動自在にされている。パネル部３０は、図１に示す横倒状態と、図６に示す起立状態とに姿勢（角度）を変えることができ、横倒状態では、表面３４が略水平になり（図１参照）、起立状態では、表面３４が水平に対して約４５°の角度で奏者方向（前方且つ上方）を向いている（図６参照）。
【００４１】
また、パネル部３０は、起立状態では、後述するように蓋ユニットＵＮＴが蓋収容状態にあるので、奏者側に対して開放され、操作子の操作、表示部の視認が可能であると共に、スピーカによる放音も効率よくなされる状態となる。パネル部３０は、鍵盤部ＫＢ及び蓋ユニットＵＮＴのいずれに対しても独立に構成され、配設される。
【００４２】
パネル部３０の左右の端部においては、側板１３に近接して目隠し板３２が設けられ、目隠し板３２は、パネル部３０が起立状態となっているとき、案内機構部６０を奏者側から隠す役割を果たす。蓋ユニットＵＮＴの閉蓋状態においては、パネル部３０は、自重によって、時計方向に回動しようとする。しかし、Ｊ字リンク部材４０が、係止ピン４３に当接してその位置が規制されている。そのため、何ら操作をしない自由状態では、パネル部３０の裏面が、Ｊ字リンク部材４０の先端部４２に常時当接している（図１参照）。それによって、パネル部３０の時計方向の回動限界位置（横倒状態の位置）が規制されると共に、上述したように、Ｊ字リンク部材４０の反時計方向への回動限界位置も同時に規制される。パネル部３０及びＪ字リンク部材４０の図１に示す各位置を、「初期位置」とも称する。
【００４３】
Ｊ字リンク部材４０は、ユニット保持体５０が後方に移動する行程の後半において、三角リンク部材５１の角部５７によってその前面４０ａが駆動されて、図１の時計方向に回動する（図４、図５）。また、Ｊ字リンク部材４０が図１の時計方向に回動するのに伴い、Ｊ字リンク部材４０の先端部４２によってパネル部３０が駆動されて、パネル部３０が図１の反時計方向（起立する方向）に回動する（図４、図５）。
【００４４】
上述したが、ユニット保持体５０の各構成要素は、連動棒５２を除いて左右対称位置に一対設けられ、蓋ユニットＵＮＴのアーム２４も、それらに対応して左右対称位置に一対設けられる。このほか、案内機構部６０、Ｊ字リンク部材４０、回動軸部４１、パネル部３０の目隠し板３２、係止ピン２６、係止ピン４３、ストッパ１７、桟１４も、左右対称位置にそれぞれ一対設けられる。
【００４５】
次に、蓋ユニットＵＮＴの開閉動作を説明する。まず、図１に示す閉蓋状態において、連結部２２を中心に前蓋２１を上方に回動させ、後蓋２３と対向する折り畳み状態とする（図２参照）。次に、後蓋２３の下端部でもある前端部を持って前蓋２１ごと上方に跳ね上げると、三角リンク部材５１の前板受け部５５に後蓋２３の後部が当接する。また、上述したように、蓋ユニットＵＮＴを後方に所定強さで押圧するまでは、連動棒５２の端部先端が、ガイド溝部６２の前端部６２ａ（図３参照）に当接したままであり、蓋ユニットＵＮＴは前進限界位置にある。
【００４６】
次に、この跳ね上げ状態で、後蓋２３の前端部を所定強さ以上の力で後方に押圧すると、折り畳み状態の蓋ユニットＵＮＴが、ユニット保持体５０と一緒に案内機構部６０に案内されて後方にスライド移動していく（図３参照）。蓋ユニットＵＮＴが後方に移動して、三角リンク部材５１がＪ字リンク部材４０に当接すると、図４に示すように、三角リンク部材５１の角部５７によってＪ字リンク部材４０の前面４０ａが駆動され、Ｊ字リンク部材４０が、図４の時計方向に回動駆動される。それに伴って、Ｊ字リンク部材４０の先端部４２によってパネル部３０が駆動されて、パネル部３０が図４の反時計方向（起立する方向）に回動駆動される。
【００４７】
そして、蓋ユニットＵＮＴがさらに後方移動して三角リンク部材５１の後端面５６がストッパ１７に当接すると、ユニット保持体５０の移動往行程が終了する（図５参照）。このとき、手による後蓋２３の後方への押圧状態にある間は、図５に示すように、後蓋２３の下半部の内側に突設形成された当接部２５が、パネル部３０の後部である後端面３３に対してやや上方に位置すると共に、両者が前後方向においても離間している。
【００４８】
この状態では、パネル部３０の自重がＪ字リンク部材４０の先端部４２にかかっているから、Ｊ字リンク部材４０はパネル部３０によって反時計方向に付勢されている。従って、後蓋２３に添えた手を離して押圧力を解除すると、Ｊ字リンク部材４０によって三角リンク部材５１が前方へ駆動されるため、蓋ユニットＵＮＴがユニット保持体５０と一緒に前進する。それと並行して、後蓋２３は三角リンク部材５１の前板受け部５５から離間すると共に、蓋ユニットＵＮＴ全体が反時計方向に回動し、後蓋２３の後部２３ａが桟１４の下面１４ａに当接する位置まで回動して止まる。それとほぼ同時に、後蓋２３の当接部２５がパネル部３０の後端面３３と当接する（図６、図７参照）。
【００４９】
これにより、パネル部３０の自重によるＪ字リンク部材４０の反時計方向への付勢力とパネル部３０の自重による蓋ユニットＵＮＴの後方への付勢力とが釣り合って、パネル部３０が起立状態で安定する。従って、パネル部３０は、Ｊ字リンク部材４０と蓋ユニットＵＮＴ及びユニット保持体５０との協働によって起立保持される。
【００５０】
このようにして、蓋ユニットＵＮＴが楽器本体１００内に対して蓋収容状態となると、パネル部３０が開放及び視認され、パネル部３０の機能を用いた電子楽器としての演奏を行うことができる。
【００５１】
蓋ユニットＵＮＴの閉蓋動作は、開蓋、収容時とは逆の動作となる。すなわち、蓋収容状態（図６）において、蓋ユニットＵＮＴの前端を持ち上げて、後蓋２３の当接部２５とがパネル部３０の後端面３３との当接を解除し、そのまま、前方に蓋ユニットＵＮＴを引っ張る。すると、Ｊ字リンク部材４０が反時計方向に回動すると共にパネル部３０が横倒方向に回動する。そして、蓋ユニットＵＮＴを前進限界位置まで移動させた後、前蓋２１を閉じる。なお、連結部２２にダンパ機構を設け、前蓋２１がゆっくり閉じるように構成してもよい。
【００５２】
本実施の形態によれば、パネル部３０は、楽器本体１００内部に配設されたので、鍵盤蓋にパネル部を設ける構成に比し、蓋ユニットＵＮＴの主に前蓋２１の厚みを生ピアノ並に薄く構成することが容易である。また、パネル部３０は、蓋ユニットＵＮＴの閉蓋状態においては、横倒状態となっているので、楽器本体１００の高さを低く抑えることができる。しかも、パネル部３０は、楽器本体１００内部において、蓋ユニットＵＮＴの閉蓋状態において遮蔽される位置に配設されるので、蓋ユニットＵＮＴは、パネル部３０の上方まで覆うように構成する必要がない。そのため、蓋ユニットＵＮＴの前後方向の長さを生ピアノ並に短く設計することができる。しかも、パネル部３０は、蓋ユニットＵＮＴの収容時には起立して、操作、視認が容易となる。
【００５３】
よって、蓋ユニットＵＮＴの厚み及び奥行き寸法、並びに楽器本体１００の高さをそれぞれ抑え、且つ、非演奏時においてはパネル部３０が外観に現れないようにすると共に演奏時におけるパネル部３０の視認性を高めることができる。その結果、電子楽器でありながら、外観を生ピアノのように構成することも容易である。
【００５４】
また、本実施の形態では、パネル部３０の回動行程においてパネル部３０が通る空間と、蓋ユニットＵＮＴが閉蓋状態から蓋収容状態まで遷移する行程において蓋ユニットＵＮＴが通る空間とは、互いに干渉している。しかし、図１〜図６で説明したように、パネル部３０が起立動作を開始するのは、蓋ユニットＵＮＴの後方への移動行程の後半からであって、パネル部３０の回動行程に通る空間に対して蓋ユニットＵＮＴが干渉しない位置まで後退してからパネル部３０が起立を開始する。従って、それぞれの移動、回動行程において両者が干渉することない。よって、楽器本体１００内部の空間を有効利用して、高さ方向をはじめとして楽器本体１００の省スペースを図ることができる。
【００５５】
また、蓋ユニットＵＮＴは、前蓋２１と後蓋２３とが展開／折り畳み自在に連結されてなり、折り畳み状態で楽器本体１００内に収容されるので、蓋収容状態における蓋ユニットＵＮＴの前後長を短くして、楽器本体１００の奥行き寸法を抑制することができる。
【００５６】
また、蓋ユニットＵＮＴは、折り畳まれ且つ跳ね上げられた状態でユニット保持体５０に保持され、ユニット保持体５０と一緒に案内機構部６０にガイドされて前後方向にスライド移動するので、蓋ユニットＵＮＴの開閉操作を安定的に行うことができる。
【００５７】
また、蓋ユニットＵＮＴの後方への移動に連動して、ユニット保持体５０を介してＪ字リンク部材４０によってパネル部３０が起立方向に回動駆動されるようにしたので、蓋ユニットＵＮＴを開操作するだけでパネル部３０を自動的に起立させることができ、起立のための特別な操作が不要である。
【００５８】
しかも、蓋収容状態においては、蓋ユニットＵＮＴの後蓋２３の当接部２５とパネル部３０の後端面３３とが当接し、Ｊ字リンク部材４０と蓋ユニットＵＮＴ及びユニット保持体５０との協働によって、パネル部３０の横倒が阻止されて起立状態に保持されるので、専用の保持部等を設ける必要がなく、部品点数の増加を抑制して構成を簡単にすることができる。しかも、起立保持のための特別な操作が不要で、一方、閉蓋操作時には、蓋ユニットＵＮＴを少し持ち上げて引っ張るだけで、パネル部３０が横倒していくので、横倒操作のための特別な操作も不要である。
【００５９】
また、蓋収容状態においては、桟１４の下面１４ａは、蓋ユニットＵＮＴの後蓋２３の後部２３ａと当接してその回動を規制するので、蓋収容状態における蓋ユニットＵＮＴのがたつきを抑制することができる。さらに、仮に、蓋ユニットＵＮＴの移動行程途中において、手を離したとしても、桟１４の下面１４ａと後蓋２３の後部２３ａとが当接するので、蓋ユニットＵＮＴを、その位置にて開状態且つ跳ね上げ状態に維持することができる。
【００６０】
（第２の実施の形態）
図８、図９は、本発明の第２の実施の形態に係る電子鍵盤楽器の楽器本体の左側部を内側（右側）からみた断面図である。図８は、蓋収容状態となる直前の状態を示し、図９は、蓋収容状態を示す。
【００６１】
上記第１の実施の形態では、起立したパネル部３０を、蓋ユニットＵＮＴの後蓋２３の当接部２５とＪ字リンク部材４０とで保持するよう構成された。これに対し、本第２の実施の形態では、左右のＪ字リンク部材のみでパネル部３０を起立保持する。本第２の実施の形態では、蓋ユニットとＪ字リンク部材の構成が第１の実施の形態と異なり、その他の構成は同様である。図８、図９において、第１の実施の形態と同じ構成要素には同一符号が付してある。
【００６２】
本第２の実施の形態における蓋ユニットＵＮＴ２は、第１の実施の形態における蓋ユニットＵＮＴに比し、後蓋の構成のみが異なる。すなわち、蓋ユニットＵＮＴ２の後蓋１２３の下半部の内側には、当接部２５（図１等参照）に相当するものがない点のみが、蓋ユニットＵＮＴの後蓋２３と異なる。
【００６３】
また、本第２の実施の形態におけるＪ字リンク部材１４０は、第１の実施の形態におけるＪ字リンク部材４０に比し、先端部１４２と反対側の腕部の先端に、平坦な欠切部１４１が形成されている点のみが異なる。
【００６４】
かかる構成において、蓋ユニットＵＮＴ２の開閉動作を説明する。まず、閉蓋状態から、蓋ユニットＵＮＴ２が折り畳み状態且つ跳ね上げ状態とされて、ユニット保持体５０と一緒に案内機構部６０に案内されて後方にスライド移動していく。また、蓋ユニットＵＮＴ２の移動行程の後半において、Ｊ字リンク部材１４０が、三角リンク部材５１の角部５７によってその前面１４０ａが駆動されて、図８の時計方向に回動し、それに伴って、パネル部３０がＪ字リンク部材１４０の先端部１４２に駆動されて起立していく。ここまでは、第１の実施の形態（図１〜図４参照）と全く同様である。
【００６５】
そして、蓋ユニットＵＮＴ２がさらに後方移動すると、やがて、三角リンク部材５１の角部５７がＪ字リンク部材１４０の前面１４０ａを過ぎて欠切部１４１に到達する。このとき、欠切部１４１の角度は、ほぼ水平になるようになっている。従って、角部５７が欠切部１４１に乗り上げた後は、Ｊ字リンク部材１４０の回動は止まり、蓋ユニットＵＮＴ２がさらに後方移動しても、Ｊ字リンク部材１４０の回動方向の位置は変わらない。
【００６６】
蓋ユニットＵＮＴ２がさらに後方移動して、三角リンク部材５１の後端面５６がストッパ１７に当接すると、ユニット保持体５０の移動往行程が終了する。そして、蓋ユニットＵＮＴ２から手を離せば、後蓋１２３の後部１２３ａが三角リンク部材５１の前板受け部５５から離間すると共に、後部１２３ａが桟１４の下面１４ａに当接して、蓋収容状態となる（図９参照）。このとき、パネル部３０は、左右一対のＪ字リンク部材１４０の先端部１４２によってその横倒が阻止され、起立状態が維持される。
【００６７】
蓋ユニットＵＮＴ２の閉蓋動作は、開蓋、収容時とは逆の動作となる。すなわち、蓋収容状態（図９）において、蓋ユニットＵＮＴ２の前端を持ち上げて前方に引っ張れば、三角リンク部材５１の角部５７の係合がＪ字リンク部材１４０の欠切部１４１から前面１４０ａに移行した後に、Ｊ字リンク部材１４０が反時計方向に回動すると共にパネル部３０が横倒方向に回動する。その後の操作及び動作は、第１の実施の形態と同様である。
【００６８】
本実施の形態によれば、第１の実施の形態と同様の効果を奏することができる。
【００６９】
なお、第２の実施の形態において、パネル部３０の起立角度を手動で調節する機構を設けてもよい。例えば、図１０に変形例を示すように、複数の係止孔３６、３７、３８を側板１３に対して設けると共に、これらと係合可能な係合突起部（図示せず）をパネル部３０に出没可能に設ける。さらに、パネル部３０の目隠し板３２の内側面に把持部３５を設ける。
【００７０】
そして、蓋ユニットＵＮＴ２を後進限界位置まで移動させた状態（図９参照）で、把持部３５を持って、係止孔３６、３７、３８のうち所望のものに上記係合突起部の位置を合わせて、該係合突起部を突出させて嵌合させれば、パネル部３０が所望の角度に固定される。なお、把持部３５を設ける位置は、目隠し板３２の内側面に限定されず、例えば、パネル部３０の左右方向中央付近に設けてもよい。また、手動による起立角度の調節機構の構成は、これに限られない。
【００７１】
なお、構成を簡単にする観点からは、第２の実施の形態において、上記した把持部３５及び手動による起立角度の調節機構を設ける一方、Ｊ字リンク部材１４０のような、パネル部３０の自動起立機構を廃止してもよい。そのように構成した場合は、蓋ユニットＵＮＴ２を後進限界位置まで移動させても、パネル部３０は横倒したままであるので、把持部３５を持って起こし、上記した手動による起立角度の調節機構を用いて、所望の角度にパネル部３０を起立、固定すればよい。
【００７２】
なお、上記第１の実施の形態においても、構成を簡単にする観点から、図１０に示したような把持部３５を設けると共に、Ｊ字リンク部材４０を廃止して、蓋ユニットＵＮＴの後蓋２３の当接部２５とパネル部３０の後端面３３との当接係合を、手動操作によって行うように構成してもよい。ただし、その場合には、ストッパ１７の位置、パネル部３０の後端面３３と当接部２５との対向角度や位置関係等を厳密に設定する必要がある。
【００７３】
例えば、三角リンク部材５１の後端面５６がストッパ１７に当接し、且つ三角リンク部材５１の前板受け部５５に後蓋２３の後部２３ａが当接している状態（図５参照）で、パネル部３０を、蓋ユニットＵＮＴと干渉しないように且つ後端面３３が当接部２５よりも前方に位置するまで手動で起立させることが可能なように構成する必要がある。しかも、三角リンク部材５１の後端面５６がストッパ１７に当接し、且つ蓋ユニットＵＮＴから手を離して桟１４の下面１４ａに後蓋２３の後部２３ａが当接している状態では、パネル部３０の把持部３５から手を離せばパネル部３０の後端面３３が当接部２５と自然に当接するように構成する必要がある。
【００７４】
なお、上記第１の実施の形態において、蓋ユニットＵＮＴが後進限界位置まで移動した状態で、Ｊ字リンク部材４０の回動を手動で固定する機構を設け、Ｊ字リンク部材４０のみでパネル部３０を起立保持するように構成してもよい。
【００７５】
なお、上記第１、第２の実施の形態においては、パネル部３０は、回動軸３１を中心に回動することで姿勢を変化させられるように構成された。しかし、このような回動による姿勢変化に限るものではなく、横倒状態と起立状態とに姿勢を可変なように構成されていればよい。例えば、スライド移動を伴った回動等によって姿勢が変化するものであってもよい。
【図面の簡単な説明】
【００７６】
【図１】本発明の第１の実施の形態に係る電子鍵盤楽器の楽器本体の左側部を内側（右側）からみた断面図である（閉蓋状態）。
【図２】蓋ユニットの閉蓋状態から蓋収容状態までの遷移行程の途中の状態を示す楽器本体の左側部の内側から見た断面図である。
【図３】蓋ユニットの閉蓋状態から蓋収容状態までの遷移行程の途中の状態を示す楽器本体の左側部の内側から見た断面図である。
【図４】蓋ユニットの閉蓋状態から蓋収容状態までの遷移行程の途中の状態を示す楽器本体の左側部の内側から見た断面図である。
【図５】蓋ユニットの閉蓋状態から蓋収容状態までの遷移行程の途中の状態を示す楽器本体の左側部の内側から見た断面図である。
【図６】蓋ユニットの蓋収容状態を示す楽器本体の左側部の内側から見た断面図である。
【図７】蓋ユニットの蓋収容状態を示す楽器本体の左側部の斜視図である。
【図８】本発明の第２の実施の形態に係る電子鍵盤楽器の楽器本体の左側部を内側からみた断面図であって、蓋収容状態となる直前の状態を示す図である。
【図９】本発明の第２の実施の形態に係る電子鍵盤楽器の楽器本体の左側部を内側からみた断面図であって、蓋収容状態を示す図である。
【図１０】第２の実施の形態の変形例を示す楽器本体の左側部を内側からみた断面図であって、蓋収容状態を示す図である。
【符号の説明】
【００７７】
１５  白鍵、  １６  黒鍵、  ２１  前蓋（前側蓋）、  ２３  後蓋（後側蓋）、  ２５  当接部、  ３０  パネル部、  ４０、１４０  Ｊ字リンク部材（パネル保持手段の一部、リンク部材）、  ５０  ユニット保持体（パネル保持手段の一部、後側蓋保持部）、  ６０  案内機構部（ガイド部）、  １００、２００  楽器本体、  ＫＢ  鍵盤部、  ＵＮＴ、ＵＮＴ２  蓋ユニット（パネル保持手段の一部）
【図１】
0004670648.tif 000002
【図２】
0004670648.tif 000003
【図３】
0004670648.tif 000004
【図４】
0004670648.tif 000005
【図５】
0004670648.tif 000006
【図６】
0004670648.tif 000007
【図７】
0004670648.tif 000008
【図８】
0004670648.tif 000009
【図９】
0004670648.tif 000010
【図１０】
0004670648.tif 000011